(57)【要約】      （修正有）【課題】片手で持てるツールとすることで、模擬すべき視野欠損状態を容易に変更でき、かつ眼鏡使用者であっても装着が容易になる視野欠損体験ツールを提供する。【解決手段】片手で把持する把持部１０と、透明又は半透明の樹脂で形成され、その中央付近に開口部２１を形成し、当該開口部２１の周縁に視野欠損を模した塗装領域２２を形成した板状の本体部２０と、を備えて視野欠損体験ツールＸを形成する。【選択図】図１
0003172349.tif 000002
【実用新案登録請求の範囲】
【請求項１】
片手で把持する把持部と、
透明又は半透明の樹脂で形成され、その中央付近に開口部を形成し、当該開口部の周縁に視野欠損を模した塗装領域を形成した板状の本体部と、
を備えた視野欠損体験ツール。
【請求項２】
前記把持部は、前記本体部の周縁に、当該本体部の直径方向に対向させて二つ備えてある請求項１に記載の視野欠損体験ツール。
【請求項３】
前記開口部は円形に形成してある請求項１又は２に記載の視野欠損体験ツール。
【請求項４】
前記塗装領域は、視野欠損の程度に応じた面積としてある請求項１〜３の何れか一項に記載の視野欠損体験ツール。
【請求項５】
前記塗装領域にグラデーション模様が施してある請求項１〜４の何れか一項に記載の視野欠損体験ツール。
【請求項６】
片手で把持する把持部と、
透明又は半透明の樹脂で形成され、その中央付近に開口部を形成し、当該開口部の周縁に視野欠損を模した塗装領域を形成した板状の本体部と、
を備えた視野欠損体験ツールを複数備え、
それぞれの視野欠損体験ツールにおける塗装領域の面積を、視野欠損の程度に応じて異ならせてある視野欠損体験キット。
【考案の詳細な説明】
【技術分野】
【０００１】
本考案は、例えば緑内障における視野欠損を擬似的に体験するツールおよびキットに関するものである。
【背景技術】
【０００２】
緑内障は、視神経が障害され、視野が欠けてくる（視野欠損）疾患である。一般的に当該視神経の障害はゆっくりと起こり、視野も少しずつ狭くなっていくため、自覚症状がほとんどない。
【０００３】
自覚症状に乏しい原因としては、例えば、一方の眼に視野欠損が生じても他方の眼が情報を補うため視野欠損に気づきにくいこと（視野の相補性）、或いは、視野欠損部があっても視中枢が欠損部周囲の情報から欠損部を補完するため視野欠損に気づきにくいこと（視野の補完性）が考えられる。
そのため、視野の検査をした場合に、医師が患者に対して視野欠損が生じている旨の指摘をしたとしても、患者側では自覚症状がないため、自身の本当の病状を十分に理解できないことがある。このような場合、患者は治療のために処方された薬を服用（点眼投与を含む）しなかったりすることで、病状が進行するケースが多く認められる。
【０００４】
そのため、緑内障の治療において、将来起こりうる視野異常（視野欠損）がどのようなものであるかを理解してもらうことは非常に重要である。
【０００５】
従来、視野欠損を擬似的に体験するツールとして、例えば眼鏡タイプの視野欠損体験眼鏡があった（非特許文献１）。
この視野欠損体験眼鏡は、中央部（視線の中心部）を丸型に切り取ったり、その周縁を三日月型に切り取った板状の部材を、眼鏡タイプに構成したものである。切取り部分は、緑内障の進行状況（軽度、重度）に応じて、その形状や面積を種々変更したものが作られている。
【先行技術文献】
【非特許文献】
【０００６】
【非特許文献１】「視野欠損擬似体験メガネの作り方」、［online］、［平成２３年９月１４日検索］、インターネット＜ＵＲＬ：http://www.pref.kumamoto.jp/ud/archives/htm/4-2udroomtaiken/sekai/goods/shiya.html＞
【考案の概要】
【考案が解決しようとする課題】
【０００７】
上述した視野欠損体験眼鏡は、例えば紙製の部材で作製されるため、視野は切取り部分のみとなる。そのため、焦点は切取り部分に集中することとなるが、この場合、特定の範囲に視野を限定してしまうこととなり、実際の視野欠損を再現するのは難しくなる。
【０００８】
また、当該視野欠損体験眼鏡は、眼鏡タイプであるため、眼鏡を使用している患者が使用しようとすれば、装着している眼鏡を外す動作が必要となるため、煩雑である。
【０００９】
従って、本考案の目的は、視野欠損の体験を正確かつ簡便に行なえる視野欠損体験ツールを提供することにある。
【課題を解決するための手段】
【００１０】
本考案に係る視野欠損体験ツールの第一特徴構成は、片手で把持する把持部と、透明又は半透明の樹脂で形成され、その中央付近に開口部を形成し、当該開口部の周縁に視野欠損を模した塗装領域を形成した板状の本体部と、を備えた点にある。
【００１１】
本構成では、視野欠損体験ツールを片手で把持して使用することができる。これにより、使用者が眼鏡を装着していたとしても、眼鏡を外すことなく使用することができるため、簡便に使用することができる。さらに、当該視野欠損体験ツールは片手で把持して使用できるため、当該視野欠損体験ツールを保持する角度の変更が容易に行なえるようになり、これにより、塗装領域の位置（角度）を変えて使用することが容易になる。
また、本体部を透明又は半透明の樹脂で形成することで、視野欠損体験ツールを裏表に反転して（塗装領域を反転して）使用することができ、体験できる視野欠損のバリエーションが増える。
このように、本考案の視野欠損体験ツールでは、視野欠損の種類（タイプ）に応じた視野欠損状態を容易に作り出すことができる。
【００１２】
本構成では、本体部に開口部を形成することで、見るべき方向を容易に認識させることができ、使用者の視線の方向をある程度定めることができる。本体部が透明又は半透明の材料で形成されるため、本体部の開口部以外の部位を見たとしても視野が遮断されない。即ち、使用者の視野を開口部に限定することなく、ある程度、当該視野を広く確保することができる。
また、本体部に塗装領域を設けることで視線を遮ることとなる。当該塗装領域は、開口部の周縁に配置される。即ち、使用者の視野には開口部および塗装領域の両方が入ることになるため、視野欠損の体験を正確に行なうことができる。
【００１３】
このように、本考案の視野欠損体験ツールでは、正確かつ簡便に視野欠損の体験をすることができる。そのため、例えば緑内障を発症していない使用者が、緑内障の視野欠損という症状に対する理解を容易に得ることができる。よって、将来的に、当該使用者の緑内障の早期発見に繋がる可能性が高まる。
一方、緑内障を発症している患者に対しては、視野欠損を起こしている眼の症状を正確に理解させることができる。
【００１４】
本考案に係る視野欠損体験ツールの第二特徴構成は、前記把持部を、前記本体部の周縁に、当該本体部の直径方向に対向させて二つ備えた点にある。
【００１５】
本構成では、視野欠損体験ツールを視線方向に対して垂直となるように把持した場合、当該視野欠損体験ツールを例えば上下反対に姿勢変更する際には、一方の把持部から他方の把持部に持ち替えるだけでよいので、当該姿勢変更を容易に行なうことができる。
【００１６】
本考案に係る視野欠損体験ツールの第三特徴構成は、前記開口部を円形に形成した点にある。
【００１７】
一般に瞳孔の形状は円形であるため、開口部の形状を円形とするのが感覚的に自然であり、違和感なく視野欠損体験を良好に行うことができる。
【００１８】
本考案に係る視野欠損体験ツールの第四特徴構成は、前記塗装領域は、視野欠損の程度に応じた面積とした点にある。
【００１９】
塗装領域の面積を、例えば軽い程度の視野欠損を体験する場合は小さく、重い程度の視野欠損を体験する場合は大きくすれば、症状に応じた視野欠損を体験することができる。
【００２０】
本考案に係る視野欠損体験ツールの第五特徴構成は、前記塗装領域にグラデーション模様を施した点にある。
【００２１】
本構成によれば、実際の緑内障の視野欠損に近い感覚の視野を体験することができる。
【００２２】
本考案に係る視野欠損体験キットの特徴構成は、片手で把持する把持部と、透明又は半透明の樹脂で形成され、その中央付近に開口部を形成し、当該開口部の周縁に視野欠損を模した塗装領域を形成した板状の本体部と、を備えた視野欠損体験ツールを複数備え、それぞれの視野欠損体験ツールにおける塗装領域の面積を、視野欠損の程度に応じて異ならせた点にある。
【００２３】
本構成では、片手で把持して簡便に使用でき、かつ、視野欠損の体験を正確に行なうことができる視野欠損体験ツールを複数備えることができる。それぞれの視野欠損体験ツールは、各塗装領域の面積が、視野欠損の程度に応じて異なるため、塗装領域の面積が異なる複数枚の視野欠損体験ツールを順次使用することで、視野欠損の程度（軽度〜重度）に応じた視野欠損を、順次体験することができる。
【図面の簡単な説明】
【００２４】
【図１】本考案の視野欠損体験ツールの上面視の概略図である。
【図２】本考案の視野欠損体験ツールの使用態様を示す概略図である。
【図３】本考案の視野欠損体験ツールの使用態様を示す概略図である。
【図４】本考案の視野欠損体験キットの概略図である。
【考案を実施するための形態】
【００２５】
本考案は、例えば緑内障における視野欠損を擬似的に体験（再現）するツールおよびキットである。
【００２６】
図１に示したように、本考案の視野欠損体験ツールＸは、片手で把持する把持部１０と、透明又は半透明の樹脂で形成され、その中央付近に開口部２１を形成し、当該開口部２１の周縁に視野欠損を模した塗装領域２２を形成した板状の本体部２０と、を備える。
【００２７】
本実施形態の視野欠損体験ツールＸは、全体を透明の樹脂で作製した場合について説明する。当該樹脂は、例えばＰＥＴ（ポリエチレンテレフタラート）樹脂などの熱可塑性樹脂が例示されるが、これに限られるものではない。また、視野欠損体験ツールＸを通して見た場合に、光の透過を著しく妨げることがない範囲で、半透明の樹脂を使用してもよい。このように視野欠損体験ツールＸを透明又は半透明の材料で形成することで、視野欠損体験ツールＸを裏表に反転して（塗装領域２２を反転して）使用することができる。よって、体験できる視野欠損のバリエーションが増え、また、視野欠損の種類（タイプ）に応じた視野欠損状態を容易に作り出すことができる。
また、視野欠損体験ツールＸを樹脂製とすることで、例えば使用後に視野欠損体験ツールＸの表面が汚れた場合であっても、拭き取るだけで汚れを除去することができるため、衛生的である。
【００２８】
（把持部）
把持部１０は、片手で把持できるように構成すればどのような態様でもかまわない。本実施形態では、把持部１０は、例えば親指と人差し指を使用して把持できるように、本体部２０の側方から板状部分を突出形成させて形成してある。把持部１０の外縁は曲線状にするのがよい。また、本実施形態では、把持部１０は本体部２０と面一になるように構成してある。このように視野欠損体験ツールＸを全面に亘って面一に形成すると、携行の際、或いは、複数の視野欠損体験ツールＸを重ねて保管する際に少ないスペースですむ。
【００２９】
また、本実施形態では、把持部１０は、本体部２０の周縁に、当該本体部２０の直径方向に対向するように二つ備える。本構成では、視野欠損体験ツールＸを視線方向に対して垂直となるように把持した場合、当該視野欠損体験ツールＸを例えば上下反対に姿勢変更する際には、一方の把持部１０ａから他方の把持部１０ｂに持ち替えるだけでよいので、当該姿勢変更を容易に行なうことができる。本体部２０には、不定形の塗装領域２２を有するが、このように姿勢変更することで、塗装領域２２の姿勢も変更することとなるため、種々のパターンの視野欠損を容易に体験することができる。
【００３０】
本実施形態では、把持部１０ａの表面に親指の先端の模様を描いてある。これにより、視野欠損体験ツールＸを把持する際に親指で把持する位置が判りやすくなる。また、把持部１０ｂの表面には、視野欠損のタイプや症状の程度を表示してもよい。例えば図１には「Ｂ−２０ｄＢ」と表示してあるが、これは視野欠損のタイプＢ、視野欠損の程度が−２０ｄＢであることを示す。尚、「ｄＢ」という単位は感覚の単位であり、正常視野を０ｄＢ、盲目を−３０ｄＢと設定した場合の相対的な値を示したものである。
【００３１】
（本体部）
本体部２０は、板状であり、概ね円形あるいは外縁が曲線状となるようにするのがよい。上述したように把持部１０の外縁も外縁が曲線状となるように構成してあることから、視野欠損体験ツールＸの外縁は全て曲線状に構成できる。これにより、視野欠損体験ツールＸを使用する際の侵襲性をほぼ排除することができ、安全性に優れたツールとなる。
【００３２】
本体部２０は、その中央付近に円形の開口部２１を形成してある。当該開口部２１を形成することで、見るべき方向を容易に認識させることができる。さらに、本体部２０が透明の材料で形成されるため、本体部２０の開口部２１以外の部位を見たとしても視野が遮断されない。即ち、使用者の視野を開口部２１に限定することなく、ある程度、当該視野を広く確保することができる。
【００３３】
通常、視野欠損体験ツールＸの使用時において、眼表面から視野欠損体験ツールＸ（本体部２０）までの距離は１２〜１５ｍｍ程度であり、眼の中心視野は１３度程度であることを鑑み、開口部２１の直径を例えば７〜１０ｍｍ程度とする。開口部２１の大きさがこの範囲であれば、使用者の視線の方向をある程度定めつつ、視野欠損体験を良好に行うことができる。
【００３４】
開口部２１の直径が７ｍｍより小さい場合には、開口部２１の縁に視線がいきやすくなったり、焦点が小さく形成した開口部に集中しすぎる傾向がある。また、開口部２１の直径が１０ｍｍより大きい場合には、使用者の視線の方向が定まらない傾向がある。即ち、開口部２１の大きさが７〜１０ｍｍの範囲外であれば、視野欠損体験の妨げとなり、視野欠損を再現し難くなる。
【００３５】
塗装領域２２は、本体部１０を例えば白色の塗装を施した領域である。塗装の色は、塗装することである程度視野を遮ることができる色であれば特に限定されるものではない。このように塗装領域２２を設けることで視線を遮ることができ、視野欠損を再現することができる。当該塗装領域２２は、開口部２１の周縁に配置される。上述したように本体部２０は透明の材料で形成され、開口部２１の大きさが所定の範囲内で形成されることで、使用者の視野を広く確保することができる。即ち、使用者の視野には開口部２１および塗装領域２２の両方が入ることになるため、視野欠損の体験を正確に行なうことができる。
【００３６】
塗装領域２２は、種々の形状および面積を取り得る。塗装領域２２の形状は不定形であるが、例えば開口部２１の周縁から外方に向けて放射状に広がるように形成するとよい。また、塗装領域２２の面積は、視野欠損の程度に応じた面積とするとよい。例えば、軽い程度の視野欠損を体験する場合は小さく、重い程度の視野欠損を体験する場合は大きくすれば、症状に応じた視野欠損を体験することができる。図１に示した視野欠損体験ツールＸは、軽度の視野欠損を再現できる。
【００３７】
また、塗装領域２２は、グラデーション状に模様を施すとよい。本構成では、塗装領域２２を、例えば開口部２１の周縁から本体部２０の径方向外方に向けて濃淡が滑らかに連続して変化してゆくように描くことができる。塗装領域２２をグラデーション状にするのは、複数の緑内障の患者から視野の様子（見え方）をヒアリングした結果による。即ち、本構成によれば、実際の緑内障の視野欠損に近い感覚の視野を体験することができる。
【００３８】
上述した視野欠損体験ツールＸは、使用者に一枚のみで供してもよく、キット（複数枚）の態様で供してもよい。キットの態様の場合、それぞれの視野欠損体験ツールにおける塗装領域２２の面積を、視野欠損の程度に応じて異ならせておくとよい。
本構成では、塗装領域２２の面積が異なる複数枚の視野欠損体験ツールを、順次使用することで、視野欠損の程度（軽度〜重度）に応じた視野の体験を、順次、体験することができる。
【実施例】
【００３９】
（実施例１）
本考案の視野欠損体験ツールＸを使用する際には、図２，３に示したように、右目で視野欠損体験ツールＸを適用したい場合には、右手で把持部１０を把持し、右手が頬に軽く触れる程度の距離に保つ。このとき、眼表面から視野欠損体験ツールＸ（本体部２０）までの距離は１２〜１５ｍｍ程度となる。開口部２１が視野の中心にくるように右目で視野欠損体験ツールＸを覗き、本体部２０を通して視野欠損体験ツールＸの向こう側の景色を眺める。このとき、開口部１０から視点を外さず、かつ塗装領域２２を注視しないようにする。これにより、右目において、簡易的に視野欠損の体験をすることができる。図２に示した視野欠損体験ツールＸは、中程度の視野欠損を再現できる。
これにより、緑内障を発症していない使用者が、緑内障の視野欠損という症状に対する理解を容易に得ることができる。よって、将来的に、当該使用者の緑内障の早期発見に繋がる可能性が高まる。
本考案の視野欠損体験ツールＸでは、使用者が眼鏡を装着していたとしても、眼鏡を外すことなく使用することができるため、簡便に使用することができる。
【００４０】
一方、緑内障の患者に対しては、視野欠損が起こっていない眼において本考案の視野欠損体験ツールＸを適用することで、視野欠損を起こしている眼の本来および／または将来の見え方を再現することができる。
即ち、両目には視野の相補性があり、一方の眼に視野欠損が生じても他方の眼が情報を補うことがある。しかし、視野欠損が起こっていない眼において本考案の視野欠損体験ツールＸを適用することで、視野欠損が起こっていない眼の視野を狭めることができ、これにより、一時的に視野の相補性が起きないようにすれば、視野欠損を起こしている眼の本来の見え方が再現される。
これにより、患者に対して、視野欠損を起こしている眼の症状を正確に理解させることができる。従って、患者に対して治療のために処方された薬を服用（点眼投与を含む）するモチベーションを高めることができ、その結果、病状の進行を抑制し、将来にわたって視野を確保し、失明を回避する可能性を高めることができる。
【００４１】
（実施例２）
図４に、視野欠損体験ツールＸおよび当該視野欠損体験ツールＸを複数備えた視野欠損体験キットを例示する。
当該キットは、三つの視野欠損体験ツールＸａ〜Ｘｃを有する。これらは、それぞれの視野欠損体験ツールＸａ〜Ｘｃにおける塗装領域２２ａ〜２２ｃの面積を、視野欠損の程度に応じて異ならせてある。
【００４２】
即ち、視野欠損体験ツールＸａは軽度（−５ｄＢ）の視野欠損に応じた塗装領域２２ａを有し、キットの中では最も塗装領域の面積は最も小さい。視野欠損体験ツールＸｂ（−１０ｄＢ）は中度の視野欠損に応じた塗装領域２２ｂを有し、キットの中では塗装領域の面積は中程度である。さらに、視野欠損体験ツールＸｃ（−２０ｄＢ）は重度の視野欠損に応じた塗装領域２２ｃを有し、キットの中では最も塗装領域の面積は最も大きい。
【００４３】
それぞれの塗装領域２２ａ〜２２ｃの形状は不定形であり、開口部２１の周縁から外方に向けて放射状に広がるように形成され、グラデーション状に模様が施されている。また、塗装領域２２ｂの面積は本体部２０の１／８程度、塗装領域２２ｃの面積は本体部２０の１／４程度である。
【００４４】
このようなキットであれば、例えば塗装領域２２の面積が異なる複数枚の視野欠損体験ツールＸａ〜Ｘｃを順次使用することで、視野欠損の程度（軽度〜重度）に応じた視野欠損を、順次体験することができる。
【００４５】
〔別実施形態１〕
上述した実施形態のように、把持部１０を本体部の直径方向に対向するように二つ備える態様に限られるものではなく、例えば把持部１０の数は一つとしてもよい。
【００４６】
〔別実施形態２〕
上述した実施形態では、視野欠損体験ツールＸを使用する際には、単一（一枚）の状態で使用する場合について説明した。しかし、このような態様に限られるものではなく、例えば、複数枚の視野欠損体験ツールＸを重ねて使用してもよい。視野欠損体験ツールＸを全面に亘って面一に形成すれば、複数の視野欠損体験ツールＸを重ねて使用した場合であっても、重なり合った複数枚の視野欠損体験ツールＸを容易に把持することができる。
【００４７】
上述したように本考案の視野欠損体験ツールＸは、透明又は半透明の材料で形成されており、塗装領域２２は種々の形状および面積を取り得る。複数枚の視野欠損体験ツールＸの塗装領域２２の形状および面積は、それぞれ同じ或いは異なるものを使用することができる。
【００４８】
透明又は半透明の複数枚の視野欠損体験ツールＸを重ねて見た場合、それぞれの視野欠損体験ツールＸに施された塗装領域２２の全てが見える、或いは一部（あるいは全体）が重なり合って見えることとなる。そのため、複数枚の視野欠損体験ツールＸを重ねて使用することで、視線を遮る領域の形状および濃淡のバリエーションを増加させることができ、これにより体験できる視野欠損のバリエーションが増える。
【産業上の利用可能性】
【００４９】
本考案は、例えば緑内障における視野欠損を擬似的に体験（再現）するツールおよびキットに利用できる。
【符号の説明】
【００５０】
Ｘ        視野欠損体験ツール
１０      把持部
２０      本体部
２１      開口部
２２      塗装領域
【図１】
0003172349.tif 000003
【図２】
0003172349.tif 000004
【図３】
0003172349.tif 000005
【図４】
0003172349.tif 000006